(57)【要約】  【課題】  簡易な操作により、分割された電気接続箱のブロックを１つのロアケース内で容易に合体操可能とすると共に電気的、機械的な接続信頼性を確保する。  【解決手段】  ロアケース４０内に１つのブロック２０を挿入し、該ブロック２０のロアケース固定用ロック部とロアケースの内面に設けたロック部とを嵌合ロックして固定し、次いで、他のブロック３０をロアケース４０内に挿入し、該ブロック３０と先入れした前記ブロック２０とのロック結合と、該ブロックとロアケースとのロック結合と、ブロック２０、３０同士の回路接続部２７、３７のロックによるバスバー２６、３６の接続とをブロック２０、３０の挿入作業時に同時に行う。  【選択図】  図８
2007028806.tif 000002
【特許請求の範囲】
【請求項１】
電気接続箱本体を分割して設けた複数のブロックと、これら複数のブロックを収容する１つのロアケースとを備え、
前記分割されたブロックは、それぞれバスバーが収容されていると共にリレー、ヒューズあるいは／および電線に接続されたコネクタが装着され、これらブロックの分割端には前記バスバー同士を接続させる回路接続部が設けられていると共にブロック同士を結合するロック部が設けられ、かつ、これらブロックの外周面にはロアケース結合用のロック部が設けられ、
前記ロアケース結合用のロック部がロアケースの壁部に設けたロック部に結合されていることを特徴とする電気接続箱。
【請求項２】
前記電気接続箱本体を２分割して、第１ブロックと第２ブロックとからなる前記ブロックを設けており、
前記第１ブロックと第２ブロックとの分割端に前記回路接続部が設けられ、第１ブロック側の第１バスバーに設けられた端子と第２ブロック側の第２バスバーに設けられた端子とが嵌合接続され、該回路接続部の両側に第１ブロックと第２ブロックとを結合するロック部を備えている請求項１に記載の電気接続箱。
【請求項３】
前記ロアケースの周壁部の一部を上端から底壁部まで切り欠いて、前記ブロックに接続された電線束を引き出す電線用開口が設けられ、該電線用開口の周縁の底壁部から筒状仮固定部を突設する一方、前記第１ブロックに前記筒状仮固定部に嵌合される仮固定リブが突設され、該仮固定リブを前記筒状仮固定部に嵌合することで前記電線用開口の開きが防止される構成としている請求項２に記載の電気接続箱。
【請求項４】
請求項１乃至請求項３のいずれか１項に記載の電気接続箱の組立方法であって、
前記ロアケース内に１つの前記ブロックを挿入し、該ブロックのロアケース固定用ロック部と前記ロアケースの内面に設けたロック部とを嵌合ロックして固定し、
次いで、他のブロックを前記ロアケース内に挿入し、該ブロックと先入れした前記ブロックとのロック結合と、該ブロックとロアケースとのロック結合と、ブロック同士の回路接続部のロック部によるバスバーの接続とを前記挿入作業時に同時に行うことを特徴とする電気接続箱の組立方法。
【請求項５】
請求項３に記載の電気接続箱の組立方法であって、
前記ロアケース内に第１ブロックを挿入し、該第１ブロックのロアケース固定用ロック部と前記ロアケースの内面に設けたロック部とを嵌合ロックして固定すると共に、前記ロアケースの筒状仮固定部に第１ブロックの仮固定リブを挿入し、
該第１ブロックに接続された電線束をロアケースの前記電線用開口より外部に引き出し、
次いで、前記第２ブロックを前記ロアケース内に挿入し、該第２ブロックを先入れした前記第１ブロックと第２ブロックの回路接続部のロック部によるバスバーの接続とを前記挿入作業時に同時に行い、
前記第２ブロックに接続された電線束を前記ロアケースの電線用開口から外部に引き出し、
次いで、電線用開口から引き出される第１、第２ブロックに接続された電線束を前記ロアケースと第１、第２ブロックとから突設した下側固定片と上側固定片の間に挟んでテープ巻き固定あるいは／およびバンド巻き固定している電気接続箱の組立方法。
【発明の詳細な説明】
【技術分野】
【０００１】
本発明は、電気接続箱および電気接続箱の組立方法に関し、詳しくは、ワイヤハーネスの分割に伴って分割された電気接続箱を簡易な操作により電気的、機械的に一体化させるものである。
【背景技術】
【０００２】
従来、図１０に示すように、特開平８−１８５９２１号公報（特許文献１）等に開示されているような自動車用の電気接続箱１が提供されており、この電気接続箱１はワイヤハーネスＷ／Ｈの端末に接続されたアンダーケース４をヒューズ収容部６やリレー収容部７が設けられたメインケース３に取り付けて、アッパーカバー２とロアケース５とによって上下から閉塞する構造を有している。一方、自動車に配索されるワイヤハーネスは電源分配システムの効率化等を目的として、従来は１つであったワイヤハーネスを複数に分割することでワイヤハーネスの軽量化、小径化、共用化、電線の取り回しの簡素化等を図る場合がある。
【０００３】
前記のように複数に分割されたワイヤハーネスは、それぞれ個別の組立工程で製造されることとなるが、電気接続箱に接続されるワイヤハーネスは、通常電気接続箱を接続して一体化した状態で納入を行うため、ワイヤハーネスの分割に伴って電気接続箱も複数に分割し、後に分割された電気接続箱を合体する構造とすることが必要となる。このように、分割された電気接続箱を合体する構造を備えたものとして、特許文献２に記載のものが知られている。
【０００４】
【特許文献１】特開平８−１８５９２１号公報
【特許文献２】特開２００４−１６６３２２号公報
【発明の開示】
【発明が解決しようとする課題】
【０００５】
前記のように分割された電気接続箱は、一体型のものに比べて後工程での電気的、機械的な結合操作が必要となるため、電気的な接続信頼性と、組立作業性および機械的強度を確保できる構造が求められる。
【０００６】
本発明は前記した問題に鑑みてなされたもので、簡易な操作により、分割された電気接続箱のブロックを１つのロアケース内で容易に結合操作できると同時に、操作に伴う電気的、機械的な接続信頼性を確保できる電気接続箱および電気接続箱の組立方法を提供することを課題としている。
【課題を解決するための手段】
【０００７】
前記課題を解決するため、本発明では、電気接続箱本体を分割して設けた複数のブロックと、これら複数のブロックを収容する１つのロアケースとを備え、
前記分割されたブロックは、それぞれバスバーが収容されていると共にリレー、ヒューズあるいは／および電線に接続されたコネクタが装着され、これらブロックの分割端には前記バスバー同士を接続させる回路接続部が設けられていると共にブロック同士を結合するロック部が設けられ、かつ、これらブロックの外周面にはロアケース結合用のロック部が設けられ、
前記ロアケース結合用のロック部がロアケースの壁部に設けたロック部に結合されていることを特徴とする電気接続箱を提供している。
【０００８】
前記構成によれば、別工程で組み立てられて分割されたブロックを、ブロックとロアケースとの間に設けたロック部により共通のロアケース内に収容して結合することができ、その際、分割端に設けた回路接続部によって両者に収容されたバスバー同士を電気的に接続することができる。
【０００９】
具体的には、前記電気接続箱本体を２分割して、第１ブロックと第２ブロックとからなる前記ブロックを設けており、前記第１ブロックと第２ブロックとの分割端に前記回路接続部が設けられ、第１ブロック側の第１バスバーに設けられた端子と第２ブロック側の第２バスバーに設けられた端子とが嵌合接続され、該回路接続部の両側に第１ブロックと第２ブロックとを結合するロック部を備えた構成としている。
【００１０】
このように構成すると、第１ブロックの第１バスバーと、第２ブロックの第２バスバーを電気的に接続する回路接続部を構成する端子が、結合された第１ブロックと第２ブロック同士のロック部の中間に位置するので、第１ブロックと第２ブロックとの結合後は、回路接続部に無理な力が作用せず、安定した電気的接続状態を維持することができる。
また、ブロック同士のロックが完結すると同時に第１ブロックの第１バスバーと第２ブロックの第２バスバーとが接続される構成とし、ブロック同士のロックが半嵌合状態では第１バスバーと第２バスバーとが接続されないようにしておくと、導通検査によりブロック同士の半嵌合を検知することができる。
【００１１】
また、前記ロアケースの周壁部の一部を上端から底壁部まで切り欠いて、前記ブロックに接続された電線束を引き出す電線用開口が設けられ、該電線用開口の周縁の底壁部から筒状仮固定部を突設する一方、前記第１ブロックに前記筒状仮固定部に嵌合される仮固定リブが突設され、該仮固定リブを前記筒状仮固定部に嵌合することで前記電線用開口の開きが防止される構成としてもよい。
【００１２】
前記構成を備えれば、ロアケースに第１ブロックを嵌合固定すると同時に、ロアケースに突設した筒状仮固定部に第１ブロックに突設した仮固定リブが嵌合するため、電線用開口が設けられたロアケース周壁の強度低下を補うことができ、よってロアケース周壁の変形を防止することができる。
【００１３】
また他一方の発明では、前記構成からなる電気接続箱の組立方法であって、
前記ロアケース内に１つの前記ブロックを挿入し、該ブロックのロアケース固定用ロック部と前記ロアケースの内面に設けたロック部とを嵌合ロックして固定し、
次いで、他のブロックを前記ロアケース内に挿入し、該ブロックと先入れした前記ブロックとのロック結合と、該ブロックとロアケースとのロック結合と、ブロック同士の回路接続部のロック部によるバスバーの接続とを前記挿入作業時に同時に行うことを特徴とする電気接続箱の組立方法を提供している。
【００１４】
この組立方法によれば、共通のロアケースに対し分割された一方のブロックを嵌合することで両者間のロック部により一方のブロックを先入れ状態で嵌合固定しておくことができる。そして、一方のブロックが先入れされたロアケースへの他方のブロックの嵌合に際しては空きスペースに対し、他方のブロックを挿入すればよいため、挿入方向の特定と位置決めも容易であり、他方のブロックのロアケース内への挿入操作によって他方のブロックとの間およびロアケースとの間でロック部を介して結合することができる。よって、共通のロアケースに対する分割されたブロックの結合固定作業も容易に行うことができる。
【００１５】
更に、前記ロアケース内に第１ブロックを挿入し、該第１ブロックのロアケース固定用ロック部と前記ロアケースの内面に設けたロック部とを嵌合ロックして固定すると共に、前記ロアケースの筒状仮固定部に第１ブロックの仮固定リブを挿入し、
該第１ブロックに接続された電線束をロアケースの前記電線用開口より外部に引き出し、
次いで、前記第２ブロックを前記ロアケース内に挿入し、該第２ブロックを先入れした前記第１ブロックと第２ブロックの回路接続部のロック部によるバスバーの接続とを前記挿入作業時に同時に行い、
前記第２ブロックに接続された電線束を前記ロアケースの電線用開口から外部に引き出し、
次いで、電線用開口から引き出される第１、第２ブロックに接続された電線束を前記ロアケースと第１、第２ブロックとから突設した下側固定片と上側固定片の間に挟んでテープ巻き固定あるいは／およびバンド巻き固定するようにしている。
【００１６】
前記組立方法によれば、ロアケースに第１ブロックを挿入することで第１ブロックとロアケースとの間のロック部による結合と同時に、ロアケースに設けた筒状固定部に第１ブロックに設けた仮固定リブが挿入されるので、電線用開口が設けられたロアケース周壁を補強することができる。更に、第１ブロックに接続された電線束をロアケースの電線用開口から容易に引き出すことができる。また、ロアケースの空きスペースに第２ブロックを挿入することで、第２ブロックの固定と同時に第１ブロックと第２ブロックのバスバー間の接続を行うことができる。
【発明の効果】
【００１７】
以上の説明より明らかなように、本発明の電気接続箱および電気接続箱の組立方法によれば、ワイヤハーネスの分割に伴って分割されたブロックを共通のロアケースに対し簡易な操作で結合固定することができると共に、分割されたブロック間のバスバーの接続もブロックの結合と同時操作にて行うことができる。よって、分割された電気接続箱における合体操作の作業性向上と共に、電気的、機械的な接続信頼性を確保することができる。
【発明を実施するための最良の形態】
【００１８】
以下、本発明の実施形態を図面を参照して説明する。
図１（Ａ）（Ｂ）は実施形態の電気接続箱１０を示し、別個のワイヤハーネスに接続されるために中央ラインに沿って２分割された第１ブロック２０、第２ブロック３０と、これらを収容するロアケース４０と、ロアケース４０の上面に被せられるアッパーケース（図示せず）から構成している。
【００１９】
第１ブロック２０は、図２（Ａ）に示すように、平面視略長方形状をなし、合成樹脂製の本体部２１の上面にはリレー、ヒューズ等の電気部品Ｅを所定位置に装着可能な電気部品収容部２２を設けている。本体部２１の外周面においては、後述するロアケース４０のロック部４１ａ、４１ｂとロック結合するためのロック部２３ａ、２３ｂを設けている。これら本体部２１のロック部２３ａ、２３ｂは、外周面に形成した位置決め用の凹部２３ｃ内に設けられ、下端を支点として弾性的に撓み可能なロックアーム２３ｄと、ロック爪２３ｅとからなっている。
更に本体部２１の外周面の図中下側、即ちロアケース４０の中央に対応する分割端２１ａの両側には、後述する第２ブロック３０のロック部３３ａ、３３ｂに結合するためのロック部２４ａ、２４ｂを設けている。ロック部２４ａ、２４ｂは、本体部２１の外周面に設けた凸部２４ｃの外面上端に下面を係止面とした係止突起２４ｄを突設している。
【００２０】
本体部２１の下面側には第１ブロック２０に導入されるワイヤハーネスＷ／Ｈ１のコネクタや端子を接続するためのコネクタ部２５が設けられ、本体部２１の内部には、図３（Ａ）に示すように、コネクタ部２５と電気部品収容部２２との間で所要の回路を構成するバスバー２６が内装されている。本体部２１における分割端２１ａの略中央には、後述の第２ブロック３０との電気的、機械的な結合をなすための回路接続部２７を設けている。回路接続部２７は、図２（Ａ）（Ｂ）に示すように、その周囲を溝部２７ａにより囲まれた状態で上方へ突出する２つの端子収容部２７ｂを備え、この端子収容部２７ｂにはバスバー２６に接続された２つの雌の中継端子２７ｃを収容している。この中継端子２７ｃは、相手側端子を上方から受け入れ可能な状態で収容している。回路接続部２７は、相手側端子を中継端子２７ｃに接続した状態で第１ブロック２０と第２ブロック３０とを結合するためのロック部２７ｄを更に備えている。このロック部２７ｄは、本体部２１の上面において２つの端子収容部２７ｂから中央へ入り込んだ位置に上方へ向けて一体突設されると共に、係止爪２７ｅ（図９（Ａ）（Ｂ））を備えている。
【００２１】
また、図２（Ａ）において本体部２１の上部左角部には、第１ブロック２０に導入されるワイヤハーネスＷ／Ｈ１の電線束の上半分を覆って案内するための半割筒状の上側固定片２８を所定の斜め外方へ向けて突設している。本体部２１における回路接続部２７の左右両側には別途電気接続箱１０に導入さる電源線Ｐ（図１（Ｂ））の端末に取り付けられた丸形の端子金具（図示せず）をボルト等により電気的、機械的に接続するための一対の電源接続用端子２９を備えている。なお、第１ブロック２０を示す図２、図３において電気部品ＥとワイヤハーネスＷ／Ｈ１、Ｗ／Ｈ２の記載を省略している箇所もあるが、組付け時にはこれらの部品は予め所定位置に装着されている。
【００２２】
第２ブロック３０は、図４（Ａ）に示すように、平面視で一方の角部が切り欠かれた方形状をなし、合成樹脂製の本体部３１の上面には第１ブロック２０と同様にリレー、ヒューズ等の電気部品Ｅを所定位置に装着可能な電気部品収容部３２を設けている。本体部３１の外周面において図中の上側、即ち、ロアケース４０への装着状態において第１ブロック２０に対向する分割端３１ａの左右位置には、第１ブロック２０に設けたロック部２４ａ、２４ｂとロック結合するためのロック部３３ａ、３３ｂを設けている。このロック部３３ａ、３３ｂは、外周面に形成した位置決め用の凹部３３ｃ内に設けられ、第１ブロック２０のロック部２３ａ、２３ｂと同様に、下端を支点として弾性的に撓み可能なロックアーム３３ｄと、ロック爪３３ｅとからなっている。
また、本体部３１の左右両側面にも、後述するロアケース４０のロック部４２ａ、４２ｂとロック結合するためのロック部３４ａ、３４ｂを設けている。これらロック部３４ａ、３４ｂも、外周面に形成した位置決め用の凹部３４ｃ内に設けられ、下端を支点として弾性的に撓み可能なロックアーム３４ｄと、ロック爪３４ｅとからなっている。
さらに、ロック部３３ａ、３３ｂが形成された面と反対側、即ち、図４（Ａ）の下側の外周面の中央部および左側部には、後述するロアケース４０の周壁部４３の内面に内方へ向けて突出する突条４８ａ、４８ｂに嵌合可能な凹溝３１ｂ、３１ｃを形成し、第２ブロック３０をロアケース４０に挿入する際の位置決め用の嵌合構造となしている。
【００２３】
本体部３１の下面側には、図４（Ｂ）に示すように、第２ブロック３０に導入されるワイヤハーネスＷ／Ｈ２のコネクタや端子を接続するためのコネクタ部３５が設けられ、本体部３１の内部には、図５（Ａ）に示すように、コネクタ部３５と電気部品収容部３２との間で所要の回路を構成するバスバー３６が内装されている。本体部３１における分割端３１ａの略中央には、第１ブロック２０の回路接続部２７との電気的、機械的な結合をなすための回路接続部３７を同様に設けている。第２ブロック３０の回路接続部３７は、図５（Ｂ）に示すように、第１ブロック２０の回路接続部２７における溝部２７ａに嵌合可能な枠部３７ａと、この枠部３７ａ内の端子収容部３７ｂにおいて、バスバー３６に接続されると共に上方に立ち上げた後、折り返して下方へ向けて延びる２つの雄タブ３７ｃを収容している。この雄タブ３７ｃは、第１ブロック２０の中継端子２７ｃに対応する位置に配置され、第１ブロック２０への第２ブロック３０の結合時に中継端子２７ｃに対し雄タブ３７ｃが挿入されて電気的に接続可能となっている。
【００２４】
枠部３７ａの外面中央部には、第１ブロック２０のロック部２７ｄに係止可能なロック部３７ｄを更に備えている。このロック部３７ｄは、一端を支点として弾性的に撓み可能なロックアーム３７ｅと、ロック爪３７ｆからなり、第１ブロック２０に対し第２ブロック３０を結合した時点で、第１ブロック２０に設けたロック部２７ｄの係止爪２７ｅに対しロック爪３７ｆが係止するようになっている。
また、第２ブロック３０の本体部３１の平面視右側面の所要箇所に、第２ブロック３０に導入されるワイヤハーネスＷ／Ｈ２の電線束の上半分を覆って案内するための断面Ｌ形状の上側固定片３８を側方へ向けて突設している。
なお、第２ブロック３０を示す図４、図５において電気部品ＥとワイヤハーネスＷ／Ｈ１、Ｗ／Ｈ２の記載を省略している箇所もあるが、組付け時にはこれらの部品は予め所定位置に装着されている。
【００２５】
ロアケース４０は、図６（Ａ）（Ｂ）に示すように、合成樹脂製からなり、周壁部４３と底壁部４５によって有底箱状に成形され、図６（Ａ）に示す平面視の略上半部を第１ブロック収容部４６、略下半部を第２ブロック収容部４７としている。第２ブロック収容部４７はロアケース４０の左側の領域を少し残して底壁部４５から一体的に立ち上げた仕切壁４３ａにより区割りされている。
【００２６】
第１ブロック収容部４６に収容される第１ブロック２０を固定するためのロック部４１ａ、４１ｂは、図６（Ａ）の平面視上側の周壁部４３内面左右位置に設けた突部４１Ａ、４１Ｂに形成されている。同様に第２ブロック収容部４７に収容される第２ブロック３０を固定するためのロック部４２ａ、４２ｂは、仕切壁４３ａの平面視右側の面に設けた突部４３Ａと、図６（Ａ）の平面視右側の周壁部４３内面下側位置に設けた突部４３Ｂに形成されている。これら突部４１Ａ、４１Ｂおよび突部４３Ａ、４３Ｂは、第１ブロック２０および第２ブロック３０の凹部２３ｃ、凹部３４ｃにそれぞれ対応して位置決め用の嵌合構造をなしている。また、ロック部４１ａ、４１ｂおよびロック部４２ａ、４２ｂは、相手側のロックアーム２３ｄおよびロックアーム３４ｄのロック爪２３ｅ、ロック爪３４ｅが係止される係止突起４１ｄ、４３ｄを突設している。また、第２ブロック収容部４７の周壁部４３の内面および仕切壁４３ａの平面視右側の面には、第２ブロック３０の凹溝３１ｂ、３１ｃに対応する断面半円状の突条４８ａ、４８ｂを突設している。
【００２７】
ロアケース４０の周壁部４３には、図６（Ａ）の平面視左上角部に周壁部４３の上端から底壁部４５まで切り欠いた電線用開口４９を設け、この電線用開口４９により第１ブロック２０に導入されたワイヤハーネスＷ／Ｈ１の電線束を外部に引き出し可能としている。電線用開口４９には電線束の下半分を覆って案内するための半割筒状の下側固定片４９ａを第１ブロック２０の上側固定片２８に対応して所定の斜め外方へ向けて突設している。
同様に、ロアケース４０の平面視右側の周壁部４３にも、上端から底壁部４５まで切り欠いた電線用開口５０を設け、この電線用開口５０により第２ブロック３０に導入されたワイヤハーネスＷ／Ｈ２の電線束を外部に引き出し可能としている。電線用開口５０には電線束の下部を覆って案内するための断面Ｌ形状の下側固定片５０ａを第２ブロック３０の上側固定片３８に対応して所定の方向へ向けて突設している。
また、ロアケース４０の外面所定位置には、電気接続箱１０を車体に取り付けるためのブラケットＢＫを突設している。
【００２８】
ロアケース４０における電線用開口４９の周縁部には底壁部４５から上方へ向けて筒状仮固定部５１を突設する一方、第１ブロック２０には、図３（Ａ）（Ｂ）に示すように、筒状仮固定部５１に上方から挿入可能な仮固定リブ５２を本体部２１の底部から一体突設している。仮固定リブ５２は筒状仮固定部５１の中空部に内嵌する径の棒状とし、図９（Ｃ）に示すように先端を縮径させている。なお、仮固定リブ５２は先端に限らず長さ方向の全長に亙って徐徐に縮径させた形状としてもよい。この筒状仮固定部５１と仮固定リブ５２との嵌合構造は、電線用開口４９の形成に伴う強度低下によって外方へ開き易くなった周壁部４３を補強して外方への開きを防止する作用を奏するものである。
また、ロアケース４０の仕切壁４３ａには、図６（Ａ）の平面視左側の面にジョイントコネクタ取付用のロック部５３を２つ設けている。該ロック部５３に取り付けられるジョイントコネクタ（図示せず）に接続されたワイヤハーネス（図示せず）も前記電線用開口４９を通して外部に引き出し可能としている。
【００２９】
次に分割された電気接続箱１０の組立方法について説明する。
先ず、図８（Ａ）に示すように、ロアケース４０のロック部５３に取り付けたジョイントコネクタのワイヤハーネスの電線束と第１ブロック２０のワイヤハーネスＷ／Ｈ１の電線束をロアケース４０の電線用開口４９から外方へ引き出すようにして、ロアケース４０の第１ブロック収容部４６に第１ブロック２０を挿入して押圧する。この操作に伴い、第１ブロック２０のロアケース固定用のロック部２３ａ、２３ｂと、ロアケース４０内面のロック部４１ａ、４１ｂとの間において、図８（Ｂ）に示すように、ロックアーム２３ｄが撓んでロック爪２３ｅが係止突起４１ｄに係止することでロアケース４０に対し第１ブロック２０がロック固定される。これと同時に、図８（Ｃ）に示すように、ロアケース４０の筒状仮固定部５１に第１ブロック２０の仮固定リブ５２が挿入されることにより、電線用開口４９が形成された周壁部４３の外方への開きが防止される。これら筒状仮固定部５１と仮固定リブ５２とを嵌合する際には、近傍にジョイントコネクタに接続されたワイヤハーネスが配索されているが、通常のロック部と異なり、筒状の仮固定部５１に仮固定リブ５２を挿入する構成としているため、これらの嵌合の際にワイヤハーネスをかみ込むことがない。なお、第１ブロック収容部４６への第１ブロック２０の嵌合操作に際し、ロアケース４０の突部４１Ａ、４１Ｂに対する第１ブロック２０の凹部２３ｃの位置を合わせることで、第１ブロック２０の嵌合の向きが正しい方向に規制される。また、外部に引き出されたワイヤハーネスＷ／Ｈ１とジョイントコネクタに接続されたワイヤハーネスの電線束はロアケース４０の下側固定片４９ａと第１ブロック２０の上側固定片２８との間に配置しておく。
【００３０】
次に、第２ブロック３０のワイヤハーネスＷ／Ｈ２をロアケース４０の電線用開口５０から外部へ引き出すようにして下側固定片５０ａと上側固定片３８との間に配置すると共に、第２ブロック収容部４７に対し第２ブロック３０を挿入して押圧する。この操作に伴い、第２ブロック３０のロアケース固定用のロック部３４ａ、３４ｂと、ロアケース４０のロック部４２ａ、４２ｂとの間において、ロックアーム３４ｄが撓んでロック爪３４ｅが係止突起４３ｄに係止することでロアケース４０に対し第２ブロック３０がロック固定される。これと同時に、第２ブロック３０のロック部３３ａ、３３ｂのロックアーム３３ｄが撓んで、ロック爪３３ｅが第１ブロック２０のロック部２４ａ、２４ｂの係止突起２４ｄに係止することで第１ブロック２０と第２ブロック３０とがロック結合される。第２ブロック収容部４７への第２ブロック３０の嵌合操作に際しては、ロアケース４０の突部４３Ａ、４３Ｂと第２ブロック３０の凹部３４ｃ、ロアケース４０の突条４８ａ、４８ｂと第２ブロック３０の凹溝３１ｂ、３１ｃをそれぞれ位置合わせすることで、第２ブロック３０の向きを規制すると共に、嵌合後の安定化を図ることができる。
【００３１】
前記操作と同時に、第１ブロック２０の回路接続部２７と第２ブロック３０の回路接続部３７との間において、両者間の電気的、機械的接続が行われる。即ち、ロアケース４０に先入れした第１ブロック２０の回路接続部２７における溝部２７ａに第２ブロック３０の回路接続部３７における枠部３７ａが上方から嵌合すると共に、図９（Ａ）（Ｂ）に示すように、第１ブロック２０の端子収容部２７ｂ内の中継端子２７ｃに対し、第２ブロック３０の端子収容部３７ｂ内の雄タブ３７ｃが順次挿入される。そして、第１ブロック２０に対し、第２ブロック３０が完全嵌合するとき、回路接続部３７のロックアーム３７ｅが撓んでロック爪３７ｆが回路接続部２７の係止爪２７ｅに係合し、これにより第１ブロック２０のロック部２７ｄと第２ブロック３０のロック部３７ｄがロック結合される。そして、同時に第１ブロック２０の中継端子２７ｃに第２ブロック３０の雄タブ３７ｃが完全挿入されることで、中継端子２７ｃと雄タブ３７ｃを介して第１ブロック２０の内部回路を構成するバスバー２６と第２ブロック３０の内部回路を構成するバスバー３６が電気的に接続される。
【００３２】
このようにして、共通のロアケース４０に対し第１ブロック２０と第２ブロック３０がロック結合された後、図１（Ａ）に示すように、ロアケース４０の電線用開口４９、５０から引き出されたワイヤハーネスＷ／Ｈ１とジョイントコネクタに接続されたワイヤハーネス、ワイヤハーネスＷ／Ｈ２の電線束を上側固定片２８、３８と下側固定片４９ａ、５０ａとの間に挟んだ状態でテープＴにより巻き付け固定することで、電線束を上側固定片２８、３８と下側固定片４９ａ、５０ａとの間に固定する。このようにして一連の接続作業を完了した後、ロアケース４０の上面開口部に対しアッパーケース（図示せず）を被せて電気部品収容部２２、３２を保護するようにしている。
【００３３】
以上のように、共通のロアケース４０に対し、第１ブロック２０と第２ブロック３０とを順次所定位置に挿入してロック結合するのみの簡易な操作によって、分割された各ブロックの電気的、機械的な結合を達成することができる。
なお、前記実施形態では、電気接続箱を二つのブロックに分割した例を示したが、３つ以上のブロックに分割してもよく、この場合においても同様の構造により対応することができる。また、前記実施形態の図面では第１ブロック、第２ブロックの電気部品収容部２２、３２に収容されるヒューズ、リレー、コネクタ等の細かい電気部品の図示を省略しているが、通常はブロックの結合前に電気部品は予め装着されるようになっている。
また、本実施形態ではワイヤハーネスＷ/Ｈ１、２をロアケースの電線用開口の周縁に突設した下側固定片と第１、第２ブロックに設けた上側固定片とにテープ巻き固定しているが、バンド巻き固定としてもよいし、テープ巻き固定とバンド巻き固定とを併用してもよい。
【図面の簡単な説明】
【００３４】
【図１】（Ａ）は本発明に係る電気接続箱の平面図、（Ｂ）は同上正面図である。
【図２】（Ａ）は第１ブロックの平面図、（Ｂ）は同上正面図、（Ｃ）はロック部の斜視図である。
【図３】（Ａ）は第１ブロックの底面図、（Ｂ）は左側面図である。
【図４】（Ａ）は第２ブロックの平面図、（Ｂ）は同上正面図、（Ｃ）はロック部の斜視図である。
【図５】（Ａ）は第２ブロックの底面図、（Ｂ）は（Ａ）のＸ−Ｘ断面図である。
【図６】（Ａ）はロアケースの平面図、（Ｂ）は同上正面図である。
【図７】ロアケースの背面図である。
【図８】（Ａ）はロアケースに第１ブロックを嵌合した状態の平面図、（Ｂ）はロック部の要部拡大図、（Ｃ）は仮固定リブと筒状仮固定部との嵌合状態の要部拡大図である。
【図９】（Ａ）（Ｂ）は第１ブロックと第２ブロックの回路接続部の結合過程の状態を示す断面図である。
【図１０】従来例を示す図である。
【符号の説明】
【００３５】
１０  電気接続箱
２０  第１ブロック
２１ａ  分割端
２３ａ、２３ｂ  ロアケース用のロック部
２４ａ、２４ｂ  第２ブロック用のロック部
２６  バスバー
２７  回路接続部
２７ｃ  中継端子
２７ｄ  ロック部
２８  上側固定片
３０  第２ブロック
３１ａ  分割端
３３ａ、３３ｂ  第１ブロック用のロック部
３４ａ、３４ｂ  ロアケース用のロック部
３６  バスバー
３７  回路接続部
３８  上側固定片
３７ｃ  雄タブ
３７ｄ  ロック部
４０  ロアケース
４１ａ、４１ｂ  第１ブロック用のロック部
４２ａ、４２ｂ  第２ブロック用のロック部
４３  周壁部
４３ａ  仕切壁
４５  底壁部
４９、５０  電線用開口
４９ａ、５０ａ  下側固定片
５１  筒状仮固定部
５２  仮固定リブ
Ｗ／Ｈ１  第１ブロックと接続されたワイヤハーネス
Ｗ／Ｈ２  第２ブロックと接続されたワイヤハーネス
【図１】
2007028806.tif 000003
【図２】
2007028806.tif 000004
【図３】
2007028806.tif 000005
【図４】
2007028806.tif 000006
【図５】
2007028806.tif 000007
【図６】
2007028806.tif 000008
【図７】
2007028806.tif 000009
【図８】
2007028806.tif 000010
【図９】
2007028806.tif 000011
【図１０】
2007028806.tif 000012